(57)【特許請求の範囲】
【請求項１】
着脱自在に構成された情報記録媒体を装着可能な媒体装着部と、当該媒体装着部の媒体挿入口を開口可能に閉塞する蓋と、前記媒体装着部に対する前記情報記録媒体の装着の有無を検出する第１の検出部と、前記蓋による前記媒体挿入口の開閉状態を検出する第２の検出部と、前記開閉状態を報知する報知部と、前記第１の検出部によって前記情報記録媒体の装着が検出されると共に前記第２の検出部によって前記媒体挿入口が閉塞状態であると検出されたときに当該情報記録媒体に対するデータ記録処理を開始する制御部とを備え、
前記制御部は、前記第１の検出部によって前記情報記録媒体の装着が検出されると共に前記第２の検出部によって前記媒体挿入口が開口状態であると検出されたときに、前記報知部を制御してその旨を報知させ、かつ当該第２の検出部によって当該媒体挿入口が開口状態であると検出されてからの経過時間の計測を開始すると共に、当該経過時間が予め規定された時間に達していない状態において前記第２の検出部によって前記媒体挿入口が閉塞状態であると検出されたとき、または、当該第２の検出部によって当該媒体挿入口が閉塞状態であると検出されることなく当該経過時間が当該予め規定された時間に達したときに、前記データ記録処理を開始して、前記情報記録媒体に記録すべきデータの記録が完了するまで当該データ記録処理を続行するデータ記録装置。
【発明の詳細な説明】
【技術分野】
【０００１】
本発明は、着脱自在に構成された情報記録媒体に対するデータ記録処理を実行可能に構成されたデータ記録装置に関するものである。
【背景技術】
【０００２】
この種のデータ記録装置として、ＰＣカードに対する記録データの記録を実行可能に構成されたデータ収集装置が特開平９−１４６８４６号公報に開示されている。このデータ収集装置では、カードコネクタを有するカード挿入部が本体部に配設されると共に、このカード挿入部が蓋によって開口可能に閉塞される構成が採用されている。また、このデータ収集装置では、本体部に設けられた検出スイッチによってカード挿入部が開口状態であるか閉塞状態であるかを検出して、その検出結果に応じてＰＣカード内の記録データを保護する構成が採用されている。具体的には、このデータ収集装置では、カード挿入部にＰＣカードが挿入された状態においてカード挿入部が蓋によって閉塞された状態であると検出したときには、カード挿入部からＰＣカードが抜き取られるおそれがないため、ＣＰＵによってこのＰＣカードに対する記録データの通常の記録処理（ＲＡＭに対して一時的に記憶させた記録データのＰＣカードに対する記録処理）が実行される。
【０００３】
一方、ＰＣカードに対する記録データの記録処理中にカード挿入部が開口状態であると検出されたとき（蓋が開かれたとき）には、ＣＰＵは、ＰＣカードに対する記録データの記録を中断して、その時点までにＰＣカードに記録した記録データについてのデータ管理情報（カード管理情報）をＰＣカードに記録する。これにより、カード挿入部からＰＣカードが抜き取られたとしても、ＰＣカードに記録されている記録データについてのデータ管理情報がＰＣカード内に存在しない状態や、ＰＣカードに記録されていない記録データについてのデータ管理情報がＰＣカード内に存在する状態が生じるのが回避されて、その時点においてＰＣカードに記録されている記録データと、その記録データに関するデータ管理情報との整合性が維持される。
【特許文献１】特開平９−１４６８４６号公報（第３−５頁、第１−８図）
【発明の開示】
【発明が解決しようとする課題】
【０００４】
ところが、従来のデータ収集装置には、以下の問題点がある。すなわち、従来のデータ収集装置では、カード挿入部を閉塞する蓋を本体部に設けると共に、蓋が開かれたときに（カード挿入部が開口状態であると検出されたときに）、ＰＣカードに対する記録データの記録を中断してその時点においてＰＣカードに記録されている記録データについてのデータ管理情報をＰＣカードに記録する構成が採用されている。したがって、このデータ収集装置では、検出スイッチによってカード挿入部が開口状態であると検出されたときには、ＰＣカードに対する記録データの記録処理が実行されることなく、その状態が維持されることとなる。
【０００５】
このため、従来のデータ収集装置では、カード挿入部にＰＣカードが正常に挿入されている状態であって、かつ、利用者にＰＣカードを抜き取る意志が存在しない状態であっても、例えば蓋の閉め忘れ等に起因してカード挿入部が開口状態であると検出されたときには、ＰＣカードに対する記録データの記録処理が実行されずに、ＰＣカードに記録すべき記録データが一時的にＲＡＭに記憶された状態が維持される。この結果、ＲＡＭの記憶可能容量が所定容量を下回ったときに、その後に出力される記録データ、または、ＲＡＭに対してそれまでに記憶させた記録データのいずれかを消去する必要が生じるため、従来のデータ記録装置には、利用者が誤って蓋を閉め忘れたときなどに、ＰＣカードに記録すべき記録データを失うことがあるという問題点が存在する。
【０００６】
本発明は、かかる問題点に鑑みてなされたものであり、記録すべき記録データを情報記録媒体に対して確実に記録し得るデータ記録装置を提供することを主目的とする。
【課題を解決するための手段】
【０００７】
上記目的を達成すべく、請求項１記載のデータ記録装置は、着脱自在に構成された情報記録媒体を装着可能な媒体装着部と、当該媒体装着部の媒体挿入口を開口可能に閉塞する蓋と、前記媒体装着部に対する前記情報記録媒体の装着の有無を検出する第１の検出部と、前記蓋による前記媒体挿入口の開閉状態を検出する第２の検出部と、前記開閉状態を報知する報知部と、前記第１の検出部によって前記情報記録媒体の装着が検出されると共に前記第２の検出部によって前記媒体挿入口が閉塞状態であると検出されたときに当該情報記録媒体に対するデータ記録処理を開始する制御部とを備え、前記制御部は、前記第１の検出部によって前記情報記録媒体の装着が検出されると共に前記第２の検出部によって前記媒体挿入口が開口状態であると検出されたときに、前記報知部を制御してその旨を報知させ、かつ当該第２の検出部によって当該媒体挿入口が開口状態であると検出されてからの経過時間の計測を開始すると共に、当該経過時間が予め規定された時間に達していない状態において前記第２の検出部によって前記媒体挿入口が閉塞状態であると検出されたとき、または、当該第２の検出部によって当該媒体挿入口が閉塞状態であると検出されることなく当該経過時間が当該予め規定された時間に達したときに、前記データ記録処理を開始して、前記情報記録媒体に記録すべきデータの記録が完了するまで当該データ記録処理を続行する。
【発明の効果】
【０００９】
請求項１記載のデータ記録装置によれば、情報記録媒体の装着を検出すると共に媒体挿入口が開口状態であると検出したときにその旨を報知し、かつ開口状態であると検出してからの経過時間の計測を開始すると共に、経過時間が予め規定された時間に達していない状態において媒体挿入口が閉塞状態であると検出したとき、または、閉塞状態であると検出することなく経過時間が予め規定された時間に達したときに、情報記録媒体に対するデータ記録処理を開始して、情報記録媒体に記録すべきデータの記録が完了するまでデータ記録処理を続行することにより、蓋が閉められていない（媒体挿入口が開口状態である）ことに起因して、記録データが情報記録媒体に記録されることなくデータ処理用の内部メモリ等に記憶された状態が維持されてこの内部メモリの記憶可能容量が所定容量を下回り、新たに生成される記録データが情報記録媒体に記録されずに消去される事態を回避しつつ、記録すべき記録データのすべてを情報記録媒体に対して確実に記録することができる。
【発明を実施するための最良の形態】
【００１０】
以下、添付図面を参照して、本発明に係るデータ記録装置の最良の形態について説明する。
【００１１】
最初に、測定システム１ｓの構成について、図面を参照して説明する。
【００１２】
図１に示す測定システム１ｓは、測定ユニット１および複数の測定ユニット１ａをＣＡＮバス（ローカルバスの一例）５を介して相互に連結したシステムであって、一例として、測定ユニット１，１ａを測定対象体（図示せず）の設置場所に設置した状態において測定対象体についての電気的パラメータを測定して測定データＤ１，Ｄ１ａを保存することが可能に構成されている。測定ユニット１は、測定対象体に接続される測定モジュール２と、本発明に係るデータ記録装置の一例であるデータ記録装置３とを備えて構成されている。測定モジュール２は、測定すべき電気的パラメータに応じて、電流測定部、電圧測定部および温度測定部などの各種測定部を備えて構成されて、測定値を示す測定データＤ１をデータ記録装置３に出力する。一方、データ記録装置３は、通信部１１、メモリカードスロット１２、検出部１３、メモリ１４、インジケータ１５および制御部１６を備えて構成されている。
【００１３】
通信部１１は、ＣＡＮバス５を介して測定ユニット１ａや図示しないＣＡＮ対応機器とデータ記録装置３（測定ユニット１）とを相互に接続可能に構成されると共に、ＣＡＮバス５を介して測定ユニット１ａ，１ａ・・から送信される測定データＤ１ａを受信して制御部１６に出力する。メモリカードスロット１２は、本発明における媒体装着部に相当し、本発明における情報記録媒体に相当するメモリカード４（一例として、コンパクトフラッシュ（登録商標））を装着可能に構成されている。このメモリカードスロット１２は、図２に示すように、データ記録装置３の本体部３ａに設けられたカード挿入口１２ａから挿入したメモリカード４を接続可能なカード接続用コネクタ（図示せず）と、カード挿入口１２ａに挿入されたメモリカード４の存在（メモリカード４のコネクタへの接続）を検出して検出信号Ｓ２を出力する検出部１２ｂ（本発明における第１の検出部）とを備えて構成されている。
【００１４】
また、本体部３ａには、上記のカード挿入口１２ａを開口可能に閉塞する蓋１７が回動軸１７ａを介して回動可能に取り付けられると共に、カード挿入口１２ａが閉塞状態であるか開口状態であるかを検出して検出信号Ｓ１を出力する検出部１３（本発明における第２の検出部：一例として、プッシュスイッチ）が配設されている。メモリ１４は、データ処理用の内部メモリであって、測定モジュール２から出力された測定データＤ１や、通信部１１がＣＡＮバス５を介して受信した測定データＤ１ａなどを一時的に記憶する。また、メモリ１４は、後述するようにして制御部１６が生成する時間データＤ２を一時的に記憶する。インジケータ１５は、本発明における報知部に相当し、一例として、ＬＥＤで構成されて、制御部１６の制御に従って点灯または消灯することで、カード挿入口１２ａが閉塞状態であるか開口状態であるかを報知する。この場合、このデータ記録装置３では、一例として、カード挿入口１２ａが閉塞状態であるときにインジケータ１５が消灯させられると共に、カード挿入口１２ａが開口状態であるときにインジケータ１５が例えば赤色に点灯させられる構成が採用されている。
【００１５】
制御部１６は、データ記録装置３を総括的に制御する。具体的には、制御部１６は、測定モジュール２から出力される測定データＤ１や通信部１１から出力される測定データＤ１ａをメモリ１４に一次的に記憶させる処理と、後述するようにして、図３に示すデータ記録処理２０を実行して設定時刻毎にメモリ１４内の測定データＤ１，Ｄ１ａをメモリカード４に記録する処理（本発明におけるデータ記録処理）とを並行して実行する。また、制御部１６は、上記したように、インジケータ１５に制御信号Ｓ３を出力して消灯または点灯させることにより、カード挿入口１２ａが閉塞状態であるか開口状態であるかを報知させる。
【００１６】
一方、ＣＡＮバス５を介して測定ユニット１に接続された測定ユニット１ａは、測定ユニット１における測定モジュール２と同様に構成された測定モジュール（図示せず）と、この測定モジュールから出力された測定データＤ１ａを測定ユニット１に送信するデータ送信装置（図示せず）とを備えている。なお、各測定ユニット１ａのデータ送信装置は、測定モジュールから出力された測定データＤ１ａを一時的に記憶する不揮発性メモリを備えて一定量の測定データＤ１ａを保存することができるように構成されているが、本発明についての理解を容易とするために、この測定ユニット１ａによる測定データＤ１ａの保存処理についての説明を省略する。
【００１７】
次に、データ記録装置３による測定データＤ１，Ｄ１ａのメモリカード４に対する記録処理について、添付図面を参照して説明する。
【００１８】
この測定システム１ｓでは、測定ユニット１の測定モジュール２や測定ユニット１ａの測定モジュールが測定対象体についての電気的パラメータを測定して測定データＤ１，Ｄ１ａを生成する処理を予め設定された条件に従って繰り返して実行する。また、この測定システム１ｓでは、測定ユニット１のデータ記録装置３における制御部１６が、測定モジュール２によって生成された測定データＤ１や、測定ユニット１ａの測定モジュール２によって生成された（データ送信装置によってＣＡＮバス５を介して送信された）測定データＤ１ａをメモリ１４に一時的に記憶させると共に、図３に示すデータ記録処理２０を実行して、メモリ１４内の測定データＤ１，Ｄ１ａを所定時間おきにメモリカード４に記録する。
【００１９】
具体的には、このデータ記録処理２０では、制御部１６が、まず、メモリ１４内の時間データＤ２をクリアする（ステップ２１）。この場合、時間データＤ２は、カード挿入口１２ａが開口状態であると検出されてからの経過時間を特定可能なデータであって、後述するようにして、制御部１６によって経過時間を特定可能に書き換えられる（経過時間が加算される）。次いで、制御部１６は、メモリカード４に対してメモリ１４内の測定データＤ１，Ｄ１ａを記録すべき設定時刻が到来したか否かを判別する（ステップ２２）。この場合、このデータ記録装置３では、一例として、３０分毎にメモリ１４内の測定データＤ１，Ｄ１ａをメモリカード４に記録する旨が予め設定されている。この際に、設定時刻が到来したと判別したときには、制御部１６は、メモリカードスロット１２からの検出信号Ｓ２に基づき、メモリカードスロット１２にメモリカード４が装着されているか否か（カード挿入口１２ａにメモリカード４が挿入されているか否か）を判別する（ステップ２３）。
【００２０】
この際に、メモリカード４が装着されていないと判別したときには、制御部１６は、メモリカードスロット１２に対してメモリカード４が装着されるまで待機する。一方、メモリカードの装着が検出されたときには、制御部１６は、データ記録装置３からの検出信号Ｓ１に基づき、カード挿入口１２ａが閉塞状態であるか否かを判別する（ステップ２４）。この際に、閉塞状態であると判別したときには、制御部１６は、一例として、メモリ１４に記憶されている測定データＤ１，Ｄ１ａのうちの最も古い（最も早く生成された）測定データＤ１，Ｄ１ａを読み出して、メモリカードスロット１２を介してメモリカード４に記録し（ステップ２５）、その測定データＤ１，Ｄ１ａをメモリ１４から消去する。また、制御部１６は、メモリカード４に記録すべきすべての測定データＤ１，Ｄ１ａの記録が完了したと判別したときに（ステップ２６）、上記のステップ２１に戻って時間データＤ２をクリアすると共に、次の設定時刻が到来するまで待機する（ステップ２２）。
【００２１】
一方、上記のステップ２４において、カード挿入口１２ａが開口状態であると判別したとき（カード挿入口１２ａが閉塞状態ではないと判別したとき）に、制御部１６は、インジケータ１５に制御信号Ｓ３を出力して赤色に点灯させると共に（「媒体挿入口が開口状態であると検出された旨の報知」の一例：ステップ２７）、カード挿入口１２ａが開口状態であると検出されてからの経過時間に応じて時間データＤ２を書き換える（経過時間の加算：ステップ２８）。次いで、制御部１６は、予め規定された時間（カード挿入口１２ａが開口状態であると検出されてから測定データＤ１，Ｄ１ａの記録を開始するまでに待機すべき時間として予め規定された時間：一例として、３０秒）が経過したか否かを判別し（ステップ２９）、規定時間が経過していないと判別したときに、メモリカードスロット１２に対するメモリカード４の装着が検出されたか否かの判別（ステップ２３）、およびカード挿入口１２ａが閉塞状態であるか否かの判別（ステップ２４）とを実行する。
【００２２】
この際に、インジケータ１５が点灯しているのを見て蓋１７の閉め忘れを認識した利用者が蓋１７を閉めることで検出部１３によって閉塞状態が検出されたときには（ステップ２４）、制御部１６は、前述したようにして、メモリ１４に記憶されている測定データＤ１，Ｄ１ａのうちの最も古い（最も早く生成された）測定データＤ１，Ｄ１ａを読み出して、メモリカードスロット１２を介してメモリカード４に記録し（ステップ２５）、その測定データＤ１，Ｄ１ａをメモリ１４から消去する。この後、制御部１６は、メモリカード４に記録すべきすべての測定データＤ１，Ｄ１ａの記録が完了したと判別したときに（ステップ２６）、上記のステップ２１に戻って時間データＤ２をクリアすると共に、次の設定時刻が到来するまで待機する（ステップ２２）。
【００２３】
一方、例えば、利用者が蓋１７を閉め忘れたまま測定ユニット１を離れたときには、制御部１６は、時間データＤ２に基づいて予め規定された時間（この例では、３０秒）が経過した時点において（ステップ２９）、メモリ１４に記憶されている測定データＤ１，Ｄ１ａのうちの最も古い（最も早く生成された）測定データＤ１，Ｄ１ａを読み出して、メモリカードスロット１２を介してメモリカード４に記録し（ステップ２５）、その測定データＤ１，Ｄ１ａをメモリ１４から消去する。この後、制御部１６は、メモリカード４に記録すべきすべての測定データＤ１，Ｄ１ａの記録が完了したと判別したときに（ステップ２６）、上記のステップ２１に戻って時間データＤ２をクリアすると共に、次の設定時刻が到来するまで待機する（ステップ２２）。
【００２４】
このように、このデータ記録装置３によれば、メモリカード４の装着を検出すると共にカード挿入口１２ａが開口状態であると検出したときに、インジケータ１５によってその旨を報知し、かつ開口状態であると検出してからの経過時間の計測（時間データＤ２の書き換え）を開始すると共に、経過時間が予め規定された時間（この例では３０秒）に達していない状態においてカード挿入口１２ａが閉塞状態であると検出したとき、または、閉塞状態であると検出することなく経過時間が予め規定された時間に達したときに、メモリカード４に対するデータ記録処理を開始して、メモリカード４に記録すべき測定データＤ１，Ｄ１ａの記録が完了するまでデータ記録処理を続行することにより、蓋１７が閉められていない（カード挿入口１２ａが開口状態である）ことに起因して、測定データＤ１，Ｄ１ａがメモリカード４に記録されることなくメモリ１４に記憶された状態が維持されてメモリ１４の記憶可能容量が所定容量を下回り、新たに生成される測定データＤ１，Ｄ１ａがメモリカード４に記録されずに消去される事態を回避しつつ、記録すべき測定データＤ１，Ｄ１ａのすべてをメモリカード４に対して確実に記録することができる。
【００２５】
なお、本発明は、上記の構成に限定されない。例えば、本発明における情報記録媒体の一例としてのコンパクトフラッシュ（登録商標）で構成されたメモリカード４に測定データＤ１，Ｄ１ａを記録する例について説明したが、本発明における情報記録媒体は、これに限定されず、コンパクトフラッシュ以外の各種リムーバブルメディア（メモリカード、磁気ディスク、光ディスク、光磁気ディスクおよびＨＤＤドライブ装置等）がこれに含まれる。また、上記のデータ記録装置３では、本発明における報知部としてのインジケータ１５を備えているが、本発明はこれに限定されず、カード挿入口１２ａが閉塞状態であるか否かを、液晶表示装置等に文字を表示させて報知する構成や、音声（例えば警告音）によって報知する構成を採用することもできる。
【００２６】
さらに、回動軸１７ａを介して本体部３ａに対して回動可能に取り付けられた蓋１７を有するデータ記録装置３について説明したが、本発明における蓋の構成はこれに限定されず、スライド式の蓋や着脱式の蓋（共に図示せず）によってカード挿入口１２ａを開口可能に閉塞する構成を作用することができる。加えて、測定データＤ１，Ｄ１ａを記録するデータ記録装置３に本発明を適用した例について説明したが、本発明におけるデータ記録装置は、測定モジュール２などから出力された測定データを記録する記録装置に限定されず、音声データや画像データなどの各種デジタルデータを情報記録媒体に記録可能な各種の記録装置（電子機器）に本発明を適用することができる。
【図面の簡単な説明】
【００２７】
【図１】測定システム１ｓの構成を示すブロック図である。
【図２】データ記録装置３におけるカード挿入口１２ａ近傍の断面図である。
【図３】データ記録処理２０のフローチャートである。
【符号の説明】
【００２８】
１ｓ  測定システム
１，１ａ  測定ユニット
２  測定モジュール
３  データ記録装置
３ａ  本体部
４  メモリカード
１２  メモリカードスロット
１２ａ  カード挿入口
１２ｂ，１３  検出部
１４  メモリ
１５  インジケータ
１６  制御部
１７  蓋
１７ａ  回動軸
２０  データ記録処理
Ｄ１，Ｄ１ａ  測定データ
Ｄ２  時間データ
Ｓ１，Ｓ２  検出信号
Ｓ３  制御信号
【図１】
0005073412.tif 000002
【図２】
0005073412.tif 000003
【図３】
0005073412.tif 000004